(57)【特許請求の範囲】
【請求項１】
透液性の表面シートと、不透液性の裏面シートと、前記表面シートと裏面シートとの間に介在する吸収体とを有するペットシートにおいて、
互いに対向する少なくとも１対の側部に、前記表面シートと前記裏面シートとが折り畳まれ且つ前記裏面シートどうしが接合されたフラップが形成されており、前記フラップは、ペットシートの表面から立上がり、ペットシートの縁部と平行に形成されていることを特徴とするペットシート。
【請求項２】
裏面シートが熱融着性シートであり、フラップが形成された部分で、裏面シートどうしが熱融着されて接合されている請求項１記載のペットシート。
【請求項３】
前記フラップには、補強シートが挟みこまれている請求項１または２記載のペットシート。
【請求項４】
前記フラップには、前記吸収体を構成する吸収性シートの一部分が挟みこまれている請求項１または２記載のペットシート。
【請求項５】
前記フラップよりもさらに縁部側に延びる所定幅の延出シートが設けられ、この延出シートの裏面にずれ止め用の粘着層が形成されている請求項１ないし４のいずれかに記載のペットシート。
【請求項６】
前記吸収体が介在している領域では、前記裏面シートに離型紙が設けられており、前記粘着層が前記離型紙に接着可能とされている請求項５記載のペットシート。
【発明の詳細な説明】
【０００１】
【発明の属する技術分野】
本発明は、室内で飼われるペットの排泄物の処理のために、床などに敷かれて使用されるペットシートに係り、特に、尿の横洩れを防止できるぺットシートに関する。
【０００２】
【従来の技術】
家庭内で飼われるペットの排泄物を処理するために、ペットシートが使用されている。このペットシートは、紙シートや透液性の不織布などの表面シートと、不透液性の裏面シートと、表面シートと裏面シートの間に介在する吸収体とから構成され、吸収体は、パルプまたはパルプに高吸収性ポリマーが含まれたものにティッシュが重ねられるなどして形成されている。
このペットシートは、前記表面シートが、ペットの尿を受ける側に向けられ、裏面シートが床やペット用トイレの底面に向けられて設置される。ペットの尿は前記表面シートを透過し、吸収体に吸収され、また裏面シートで床やトイレに透過しないようになっている。
【０００３】
【発明が解決しようとする課題】
しかし、ペットがペットシートの中央で排泄する場合は吸収体で十分尿を吸収できるが、ペットシートの端で尿を排泄した場合は、尿がペットシートの縁部から外へ洩れることがある。また排泄される尿の量が多いときには、前記吸収体で尿を吸収しきれず、尿がペット用シートの縁部からあふれ、尿が洩れることがある。
【０００４】
本発明は上記従来の問題点を解決するものであり、尿がシートの縁部からシート外へ洩れにくいようにしたペットシートを提供することを目的としている。
【０００５】
【課題を解決するための手段】
本発明は、透液性の表面シートと、不透液性の裏面シートと、前記表面シートと裏面シートとの間に介在する吸収体とを有するペットシートにおいて、
互いに対向する少なくとも１対の側部に、前記表面シートと前記裏面シートとが折り畳まれ且つ前記裏面シートどうしが接合されたフラップが形成されており、前記フラップは、ペットシートの表面から立上がり、ペットシートの縁部と平行に形成されていることを特徴とするものである。
【０００６】
前記フラップは、前記表面シートを含む複数枚のシートが接合されて形成され、例えば、前記吸収体が介在する部分の側方において、表面シートと裏面シートとの接合部が前記裏面シートどうしが対面する状態に折り畳まれ且つ裏面シートどうしが接合されて前記フラップが形成される。
【０００７】
この場合に、裏面シートが熱融着性シートであり、フラップが形成された部分で、裏面シートどうしが熱融着されて接合されているものとすることが可能である。
【０００８】
前記フラップは、表面シートと裏面シートとの接合のみで形成されてもよいし、または前記フラップに、前記吸収体を構成するティッシュなどの吸収性シートの一部分が挟みこまれているものでもよい。
【０００９】
また、前記フラップよりもさらにシート縁部側に延びる所定幅の延出シートが設けられ、この延出シートの裏面にずれ止め用の粘着層が形成されていることが好ましい。
【００１０】
前記のように、表面シートと裏面シートとの接合部が折り畳まれ且つ接合されて前記フラップが形成されるものでは、前記表面シートと裏面シートとの接合部が前記フラップよりもシート縁部側に延びて前記延出シートが形成される。
【００１１】
本発明のペットシートの表面シートは、例えばポリプロピレン（ＰＰ）繊維から成るポイントボンド不織布などの合成繊維から形成された不織布、あるいはレーヨン繊維などの吸水性繊維が含まれた、また吸水性繊維のみで形成された不織布である。不透液性の裏面シートは、ポリエチレン（ＰＥ）フィルムやビニールシートなどである。前記吸収体は、パルプ、綿などに高吸収性ポリマー（ＳＡＰ）が混合されたものを、紙あるいはティッシュ、あるいは不織布で包んだものである。
【００１２】
このペットシートは、少なくとも２箇所の側端部において、シート表面から立上がるフラップが形成されているため、ペットがペットシートの縁部付近で尿を排泄しても、尿がフラップの部分で堰止められ、尿がペットシートの縁部から外部に洩れるのを防止できる。
【００１４】
あるいは、表面シートと裏面シートさらには表面シートおよび裏面シートにティッシュなどの吸収性シートが挟まれたものの端部に、他のシートを接合して、前記フラップと、前記延出シートを形成してもよい。
【００１５】
本発明では、ペットシートの側端部の表面シートと裏面シートとの接合部で、両シートの接合体が２つに折り畳まれ、且つ接合されてフラップが形成されている。この接合体の折り畳み部の接合は、ホットメルト接着剤による接合であってもよいが、裏面シートがＰＥフィルムなどのように熱融着性のシートである場合には、裏面シートを熱融着することにより、前記フラップを形成することができる。この場合、熱融着されたフラップは、他の部分よりも剛性が高くなり、前記剛性の高いフラップがシート表面からほぼ垂直に立上がるようになる。
【００１６】
また前記表面シートおよび裏面シートに、さらに吸収性シートであるティッシュを挟み込むようにして前記フラップを形成すると、フラップの剛性が高くなり、さらに、フラップが垂直に立ち上がりやすくなる。
【００１７】
【発明の実施の形態】
以下本発明を図面を参照しながら説明する。
図１は、本発明のペットシートの部分斜視図、図２は図１のＩＩ−ＩＩ線の拡大断面図、図３（Ａ）（Ｂ）は、ペットシートのフラップ形成過程を示す拡大断面図である。
図１では、ペットシートＳの幅方向をＸ方向、長さ方向をＹ方向で表している。本発明のペットシートＳは、吸収体５を有する平坦な吸収領域Ｓｃと、吸収領域ＳｃのＸ方向の両端部にてＹ方向に延び、且つシート表面からＺ方向にほぼ垂直に立上がるフラップＳａと、フラップＳａからさらにＸ方向の外側に延びる延出シートＳｂと、フラップＳａと吸収領域Ｓｃとの境界の薄肉の境界部Ｓｄと、から構成されている。
【００１８】
図２に示すように、ペットシートＳは、長方形状の表面シート１と、この表面シート１と同じ大きさの裏面シート２と、両シート１と２との間に、これら両シートよりもサイズの小さい吸収体５が介在した積層構造である。
前記表面シート１としては、例えばポリプロピレン（ＰＰ）繊維から成るポイントボンド不織布などの、合成繊維から形成された透液性の不織布が使用される。また前記表面シート１は、レーヨン繊維などの吸水性繊維を含むもの、あるいは吸水性繊維のみで形成されたものでもよい。前記裏面シート２は、ポリエチレン（ＰＥ）フィルムやビニールシートなどの不透液性シートで形成されるが、この裏面シート２は前記ＰＥフィルムのような熱融着性フィルムが好ましく、さらに好ましくは、表面シート１よりも融点の低いフィルムにより形成される。
【００１９】
前記吸収体５は、吸収性物質４が、透液性で且つ液吸収性を有するティッシュなどの吸収シート３で挟まれたまたは包まれたやや嵩高の平坦な形状である。前記吸収性物質４は、例えばパルプや綿などに、必要に応じて、高吸収性ポリマー（ＳＡＰ）が含まれたものである。
ペットシートＳの吸収領域Ｓｃでは、前記表面シート１と裏面シート２との間に、吸収体５が挟まれた構造となっている。また、ペットシートＳの表と裏を識別しやすいよう、吸収性物質４と表面シート１の間に介在する吸収シート３は着色されたものが使用される。
【００２０】
前記吸収領域Ｓｃ以外の周辺部では、表面シート１と裏面シート２とが熱融着されて接合されている。または表面シート１と裏面シート２とが、ホットメルト接着剤などで接着されていてもよい。
図２に示すように、前記フラップＳａは、表面シート１および裏面シート２とが接合された接合部において、裏面シート２どうしが対面する向きに山折りに折り畳まれ、且つ裏面シート２どうしが接合されて形成されている。この接合は、熱融着性フィルムの裏面シート２どうしが熱融着されて接合されたものである。あるいは両シート１と２との接合体が折り畳まれた状態で裏面シート２どうしがホットメルト接着剤などで接着されたものであってもよい。
【００２１】
前記フラップＳａは、表面シート１と裏面シート２が接合されたものがさらに折り畳まれ、熱融着などで互いに接合されたものであるため、フラップＳａは、境界部Ｓｄおよび延出シートＳｂよりも剛性が高くなっている。この剛性差があるために、吸収領域Ｓｃの裏面シート２と、延出シートＳｂの裏面シート２とが同一面に展開されたときに、前記フラップＳａはシート表面からほぼ垂直に立上がる。
図２に示すように、延出シートＳｂの裏面には粘着層６が形成されており、吸収領域Ｓｃの裏面には、前記粘着層６と対面することが可能な位置に離型紙７が接着されている。
【００２２】
図３（Ａ）（Ｂ）は、前記フラップＳａの成形工程を示している。
図３（Ａ）に示すように、ペットシートＳの製造工程では、裏面シート２上に吸収体５が設置され、その上に表面シート１が設置される。そして吸収体５が介在している領域（吸収領域Ｓｃ）の側端部で、表面シート１と裏面シート２とが接合され且つ熱融着されて、接合部Ｓｅが形成される。また吸収領域Ｓｃの裏面では、裏面シート２に対し、表面に粘着層６が形成された離型紙７が接着固定される。
【００２３】
次に、図３（Ｂ）に示すように、表面シート１と裏面シート２とが接合された接合部Ｓｅが２つ折りに折り畳まれる。そして、吸収領域Ｓｃの側方に境界部Ｓｄを残し、前記境界部Ｓｄよりも先の折り畳み部が加熱され且つ加圧され、加圧領域Ｓｆにおいて裏面シート２どうしが熱融着される。裏面シート２は表面シート１よりも融点が低いために、加圧・加熱工程で、重ねられた裏面シート２、２が溶融し、その一部がポイントボンド不織布などの表面シート１内に浸透し、剛性の高いフラップＳａが形成される。
また、図３（Ｂ）に示すように、表面シート１と裏面シート２とが折り畳まれた状態で、延出シートＳｂとなる部分の裏面シート２が粘着層６に粘着される。
【００２４】
このペットシートＳは、図３（Ｂ）に示すように、接合部Ｓｅが折り畳まれた状態で市販される。
このペットシートＳを使用するときに、延出シートＳｂの部分を吸収領域Ｓｃの裏面から引き剥がし、図２に示すように、延出シートＳｂの裏面と、吸収領域Ｓｃの裏面とを同一面となるように展開させると、剛性の高いフラップＳａが、シート表面からほぼ垂直に立上がる。
【００２５】
延出シートＳｂの部分を吸収領域Ｓｃの裏面から剥がすときに、粘着層６は、延出シートＳｂの裏面シート２に接着されて離型紙７から剥がれる。図２に示す展開状態で、ペットシートＳを床やトレイあるいはペット用トイレの底面に敷き、延出シートＳｂの裏面を粘着層６を介して前記床などに粘着させる。延出シートＳｂが床などに粘着されると、ペットシートＳ全体のずれ止めができるのみならず、延出シートＳｂの裏面と、吸収領域Ｓｃの裏面とが同一面を維持し、よってフラップＳａが倒れることなく起立状態を維持できるようになる。
このペットシートＳの吸収領域Ｓｃでペットが尿を排泄すると、この尿は表面シート１を透過して吸収体５で吸収される。また尿の排泄位置が吸収領域Ｓｃの端部であり、ペットシートＳの端部に向かって流れた場合には、尿がフラップＳａで堰止められ、尿が延出シートＳｂに流れることを防止でき、さらに床面などに流れ出るのを防止できる。
【００２６】
図４と図５は本発明のペットシートＳの他の実施の形態を示す拡大断面図である。
図４では、表面シート１と裏面シート２とが接合された接合部Ｓｅを２つ折りに折り畳むときに、対面する裏面シート２、２間に補強シート１１が挟まれる。この補強シート１１が挟まれた状態で、折り畳み部分が加圧されて加熱され、裏面シート２が熱溶融してフラップＳａが形成される。このとき、両側の裏面シート２、２どうしが補強シート１１を介して互いに接合される。よって、補強シート１１は、ティッシュ、不織布、織布などのように、熱溶融した樹脂が浸透しやすいものであることが必要である。
【００２７】
図５では、接合部Ｓｅが形成される際に、吸収体５を構成するティッシュなどの吸収シート３の一部が、表面シート１と裏面シート２の間に挟まれ、この状態で吸収シート３を介して表面シート１と裏面シート２とが融着されている。そして、吸収シート３を挟んだ接合部Ｓｅが折り畳まれ、且つ加圧・加熱されて裏面シート２、２が熱融着され、フラップＳａが形成される。
図４および図５に示す実施の形態では、フラップＳａの部分にティッシュなどの補強シート１１または吸収シート３が挟み込まれているため、フラップＳａの剛性がさらに高くなり、図２に示す展開状態において、フラップＳａが起立しやすくなる。またフラップＳａの起立状態が長期間維持されやすくなり、尿の堰止め効果を継続できるようになる。
【００２８】
前記図４に示すペットシートＳにおいて、フラップＳａおよび、延出シートＳｂ、および境界部Ｓｄの剛性をカンチレバー法で測定した。その剛性は、フラップＳａが１０７ｍｍ／１０ｍｍ、延出シートＳｂが４５ｍｍ／１０ｍｍ、境界部Ｓｄが５５ｍｍ／１０ｍｍであった。図４に示すように、延出シートＳｂと吸収領域Ｓｃとが平面的に展開された状態でフラップＳａが起立しやすく、またその起立状態を長く継続するためには、フラップＳａの剛性が、延出シートＳｂの剛性の２倍以上であることが好ましい。
また、フラップＳａの高さＳｈは５ｍｍから１０ｍｍ程度が好ましい。また、延出シートＳｂのＸ方向の幅寸法Ｓｗが小さいと、フラップＳａが立ち上がりにくい。このため、延出シートＳｂのＸ方向の幅寸法Ｓｗは、このフラップＳａの高さＳｈの３倍から５倍程度、すなわち１５ｍｍから５０ｍｍ程度が好ましい。
【００２９】
さらに、前記粘着層６の粘着力は、あまり強すぎると、床面などに強固に固着されて床表面の塗装や樹脂層を剥がす恐れがあり、また粘着力が弱すぎると、ずれ止めの効果が低くなる。よって粘着層６の粘着力としては、「ＪＩＳ  Ｚ  ０２３７  プローブタック力試験」に準拠して行った測定方法により求められたタック力が、２３０ｇｆ／ｃｍ２以上で３００ｇｆ／ｃｍ２以下程度が好ましく、さらに好ましくは２５０ｇｆ／ｃｍ２以上で２８０ｇｆ／ｃｍ２である。このタック力は、具体的には、ピクマ社製の「タック力テスター」という試験装置を用いて求められた値である。この測定では、まず一辺の長さ１０ｍｍの正方形のプローブを、一辺の長さ２５ｍｍの正方形の試験片（粘着層６）に対して、５００ｇの接触荷重で、１秒間接触させた。その後、プローブを試験片から、３０ｍｍ／ｍｉｎの速度で引き剥がし、プローブが試験片から引き剥がれたときの力を求め、この力をプローブのタック力の値とした。このタック力は、プローブの面積当たりの引き剥がし力として表され、前記のように単位はｇｆ／ｃｍ２である。このプローブのタック力の測定は、５枚の試験片について行った。そして、それぞれの試験片に対して測定されたタック力の平均値が、前記の値である。
【００３０】
【発明の効果】
以上説明したように、本発明のペットシートは、シートの端部でペットが尿をしたときでも、フラップにより尿がペットシートの外側に洩れることを防止できる。または、大量の尿が与えられ、尿が拡散したときも、フラップにより尿がシートから流れ出るのを防止できる。
【００３１】
また、表面シートと裏面シートとの接合部を折り畳むことにより、フラップを形成すると、フラップの形成工程が容易である。またフラップの部分で裏面シートを熱溶融させて接合することにより、フラップの剛性が高くなり、延出シートと吸収領域とを平面状に展開したときに、フラップが立ち上がりやすくなる。
【図面の簡単な説明】
【図１】本発明のペットシートの部分斜視図、
【図２】図１に示すペットシートのＩＩ−ＩＩ線の拡大断面図、
【図３】（Ａ）（Ｂ）はフラップの形成過程を示す拡大断面図、
【図４】他の実施の形態でのフラップ部分の構造を示す拡大断面図、
【図５】さらに他の実施の形態でのフラップ部分の構造を示す拡大断面図、
【符号の説明】
１  表面シート
２  裏面シート
３  吸収シート
４  吸収性物質
５  吸収体
６  粘着層
７  離型紙
Ｓ  ペットシート
Ｓａ  フラップ
Ｓｂ  延出シート
Ｓｃ  吸収領域
Ｓｄ  境界部
【図１】
0003571174.tif 000002
【図２】
0003571174.tif 000003
【図３】
0003571174.tif 000004
【図４】
0003571174.tif 000005
【図５】
0003571174.tif 000006